【事件の表示】
　平成　８年特許願第２３２１８５号「洗面化粧台」拒絶査定不服審判事件〔平成１０年　３月２４日出願公開、特開平１０−　７５９０７〕について、次のとおり審決する。
【結　論】
　本件審判の請求は、成り立たない。
【理　由】
１．手続の経緯
　本願は、平成８年９月２日の出願であって、平成１８年１月２７日付けで拒絶査定がされ、これに対し、同年３月８日に拒絶査定不服審判請求がされるとともに、同年４月７日付けで手続補正がなされたものである。
　
２．平成１８年４月７日付けの手続補正についての補正の却下の決定
　
［補正の却下の決定の結論］
　平成１８年４月７日付けの手続補正を却下する。
　
［理由］
（１）補正後の本願発明
　本件補正により、特許請求の範囲の請求項１は以下のように補正された。
　　
「上面に洗面ボウルを設けた箱状のキャビネット本体と、このキャビネット本体の後部上方に垂設される合成樹脂製のミラーキャビネットとを有する洗面化粧台において、
　上記ミラーキャビネットは、キャビネット本体の後部上方の壁面にこのキャビネット本体と所望の間隙を有して取り付けられ、
　ミラーキャビネットとキャビネット本体との間に位置する前記壁面には、両者間の間隙に対応した寸法でかつ琺瑯パネルやフッ素塗装パネルなどの合成樹脂以外の材質で形成されたパネル部材が、その上端小口面がミラーキャビネットの下面と非連結の接合状態となり、その下端小口面がキャビネット本体の上面と非連結の接合状態となり、かつ、その背面が前記壁面上においてミラーキャビネットとキャビネット本体の背面と面一状態となるように、取り付けられたことを特徴とする洗面化粧台。」
　　
　上記補正は、補正前の請求項１に係る発明を特定するために必要な事項である「ミラーキャビネット」の取り付け個所を、「キャビネット本体の後部上方の壁面」とするとの限定を付加し、「パネル部材」の取り付け個所を、「ミラーキャビネットとキャビネット本体との間に位置する前記壁面」とするとの限定を付加し、「パネル部材」と「ミラーキャビネット」および「キャビネット本体」との取り付け構造として、「パネル部材」の「上端小口面がミラーキャビネットの下面と非連結の接合状態となり、その下端小口面がキャビネット本体の上面と非連結の接合状態となり、かつ、その背面が前記壁面上においてミラーキャビネットとキャビネット本体の背面と面一状態となるように、取り付け」るとの限定を付加するものであって、特許法第１７条の２第４項第２号の特許請求の範囲の減縮を目的とするものに該当する。
　
　そこで、本件補正後の上記請求項１に係る発明（以下、「本願補正発明」という。）が特許出願の際独立して特許を受けることができるものであるか（平成１８年改正前特許法第１７条の２第５項において読み替えて準用する同法第１２６条第５項の規定に適合するか）について、以下に検討する。
　
（２）刊行物に記載された発明
　原査定の拒絶の理由に引用され、本願出願前に頒布された刊行物である実願昭５８−２００７７４号（実開昭６０−１０９４９５号）のマイクロフィルム（以下、「引用文献１」という。）には、「洗面化粧台」に関して、図面とともに以下の記載がある。
　
（ア）「１．洗面台と、同洗面台上に垂設配置されるサイドキャビネットを有してなる洗面化粧台において、上記サイドキャビネットの下端に切断可能な高さ調整板を設けたことを特徴とする洗面化粧台。」（「２．実用新案登録請求の範囲」）
　
（イ）「〔考案の目的〕
　本考案の目的は、サイドキャビネットの高さを任意に変えることにより、据付周囲との意匠的調和を保った設置が行なえる洗面化粧台を提供することである。」（明細書４頁１行目〜５行目）
　
（ウ）「図中、（１）はカウンタ（２）を載置連結し引出し（３）、及び開閉扉（４）を有した洗面台、（５）は洗面台（１）の右端において立設配置され内部に棚を形成したサイドキャビネット、（６）は同サイドキャビネット（５）の側方に位置する鏡、（７）はサイドキャビネット（５）に一部が乗載され、壁面（Ｗ）に所要の固定手段で固着される吊戸棚、及び（８）は吊戸棚（７）の下面に連結される照明ボックスである。
　第６図はサイドキャビネット（５）の斜視図で、（９）は筺体状に形成される本体、（１０）は同本体（９）に蝶番（図示せず）等により開閉自在に取付けられる扉、（１１）は本体（９）の裏面と面一上に下方へ伸長する切断可能な高さ調整板である。…第７図（ａ）のものは本体（ａ）と高さ調整板（１１）とをダボ（１２）嵌合により連結したもの、及び第７図（ｂ）のものは補強のために連結金具（１３）により固定する構造としたものである。」（明細書５頁１行目〜１９行目）
　
（エ）「上記構成の洗面化粧台を据付けるには、まず据付位置の例えば隣接する家具（Ｆ）の高さに洗面台（１）下端から吊戸棚（７）上端間寸法が等しくなるように高さ調整板（１１）を現場で切断する。
　次に、高さ調整板（１１）を本体（９）に前述の第７図の（ａ）又は（ｂ）の構造例により固着し、バックガード（２ｅ）のダボ（２ｂ）に貫通孔（１４）を嵌入させれば連結することができる。この連結において、高さ調整板（１１）を任意寸法に切断したとしても貫通孔（１４）の開口は定位置であるので、サイドキャビネット（５）はカウンタ（２）及び洗面台（１）に対して正確な位置決めをもって連結することができる。」（明細書６頁７行目〜１８行目）
　
（オ）第４図、第５図および第９図には、箱状である「洗面台（１）」が記載され、「サイドキャビネット（５）」は「洗面台（１）」の後部上方に「洗面台（１）」に対して「高さ調整板（１１）」を介して取り付けられ、「サイドキャビネット（５）」上に「サイドキャビネット（５）」に接して「吊戸棚（７）」を有し、「サイドキャビネット（５）の筺体状に形成される本体（９）」および「洗面台（１）」の背面と「高さ調整板（１１）」の背面が「壁面上において」面一状態で取り付けられている「洗面化粧台」が記載されている。
　
　これら記載事項および図面からみて、引用文献１には、次の発明（以下、「引用文献１に記載された発明」という。）が記載されているものと認められる。
　
（引用文献１に記載された発明）
「箱状の洗面台と、この洗面台の後部上方に垂設されるサイドキャビネットとを有する洗面化粧台において、サイドキャビネットは、洗面台の後部上方に洗面台に対して高さ調整板を介して取り付けられ、サイドキャビネットと洗面台との間には、任意寸法の高さ調整板が、洗面台のバックガードに取り付けられ、その背面が壁面上においてサイドキャビネットと洗面台の背面と面一状態となるように取り付けられた洗面化粧台。」
　
　原査定の拒絶の理由に引用され、本願出願前に頒布された刊行物である特開平８−３７３号公報（以下、「引用文献２」という。）には、「システムキッチン」に関して、図面とともに以下の記載がある。
　
（カ）「【請求項１】壁に接して配置されるレンジや流し台などの床上厨房設備と、この床上厨房設備上の壁面に固定されるレンジフードや吊戸棚などの壁面厨房設備とを有し、前記両厨房設備間の壁面がホーローパネルで覆われたことを特徴とするシステムキッチン。」
　
（キ）「【００１６】図４乃至図８は、上記ホーローパネル１の壁面Ａへの取付例を示す要部断面図である。
【００１７】まず通常は、図４あるいは図７に示すように予め壁面Ａの所定位置に、断面略コ字形の受部８ａ（９ａ）を有する取付金具８（９）をアンカーボルト１０などで固定し、この受部８ａ（９ａ）の一方からホーローパネル１の一端を差し込むことにより、ホーローパネル１を所定位置に保持することとしている。なお図示していないが、このホーローパネル１の他端も同様の取付金具で保持されていることとする。
【００１８】また上記取り付けに際して、ホーローパネル１の寸法を変更する必要が生じた場合には、このホーローパネル１をダイヤモンドソーなどを用いて所望の寸法に切断すれば良く、このような場合にも本発明のシステムキッチンに用いられるホーローパネル１は、切断の困難な金属材を極めて薄くできるため容易に対応することが可能である。そして、このようにして切断されたホーローパネル１の表面側の切断端面には、図４や図７に符号１１で示すように防錆材を塗布しておけば良い。」
　
（ク）「【００２０】このようにして本発明のシステムキッチンでは、ホーローパネル１が壁面Ａに取り付けられ、床上厨房設備２と壁面厨房設備３との間が、ホーローパネル１で覆われるものである。
【００２１】このように本発明のシステムキッチンでは、レンジからの熱の影響を受けると共に、流し台からの湯水がかかったり、あるいは熱せられた油などが飛び散る虞れのある壁面を防汚性、耐熱性、耐蝕性などに優れたホーローパネルで覆っているので、熱による変色や退色が防止できると共に、湯水による錆やあるいは食品や調味料などに含まれる酸やアルカリによる腐食も防止でき、更に表面の油汚れなども払拭するだけで容易に除去することができる。」
　
　ここにおいて、引用文献２に記載された「システムキッチン」は壁面に沿って配置される住宅設備機器であり、「レンジや流し台などの床上厨房設備」は住宅設備機器として下部に設置される「下部キャビネット」であるということができ、「レンジフードや吊戸棚などの壁面厨房設備」は住宅設備機器の上部に設置される「上部キャビネット」であるということができる。
　
　そうすると、これら記載事項および図面からみて、引用文献２には、次の発明（以下、「引用文献２に記載された発明」という。）が記載されているものと認められる。
　
（引用文献２に記載された発明）
「住宅設備機器の下部キャビネットと、この下部キャビネット上に固定される上部キャビネットとを有し、上部キャビネットは下部キャビネットの上方の壁面に下部キャビネットと間隙を有して取り付けられ、上部キャビネットと下部キャビネットとの間に位置する壁面には、両者間の間隙を覆うホーローパネルが取り付けられた住宅設備機器。」
　
　本願出願前に頒布された刊行物である実願平５−６１８１８号（実開平７−２５８４５号）のＣＤ−ＲＯＭ（以下、「引用文献３」という。）には、「ウォールキャビネット、カウンター及び化粧材の施工構造」に関して、図面とともに以下の記載がある。
　
（ケ）「【０００１】
　　　【産業上の利用分野】
　この考案はウォールキャビネット，カウンター及び化粧材の施工構造に関する。」
　
（コ）「【０００２】
　　　【従来の技術】
　キッチン等においては、図４に示しているように壁面１００の所定高さ位置にウォールキャビネット１０２を固設するとともに、これと所定間隔をおいた下方においてカウンター１０４を壁面１００に接するように設置し、そしてこれらウォールキャビネット１０２とカウンター１０４との間の部分において、タイル１０６を壁面１００に張付施工することが一般に行われている。」
　
（サ）「【０００９】
　　　【実施例】
　次に本考案の実施例を図面に基づいて詳しく説明する。
　図１において、１０は石膏ボード等から成るパネルである。
  １２はキャビネット取付木であって、このキャビネット取付木１２を介してウォールキャビネット１６が所定高さ位置においてパネル１０の表面（壁面）１４に固設されている。
　　　　【００１０】
　ウォールキャビネット１６の下方には、これと所定間隔を隔ててベースキャビネット１８が設置されており、このべースキャビネット１８の上端にカウンター２０が、パネル表面１４に接するようにして配設されている。
　　　　【００１１】
　そしてこれらウォールキャビネット１６とカウンター２０との間において、化粧材としてのタイル２２がパネル１０の表面１４に張付施工されている。」
　
（シ）「【００１７】
　以上本考案の実施例を詳述したがこれはあくまで一例示であり、例えば本考案は化粧材として石材等タイル以外のものを用いる場合においても適用可能であるなど、その主旨を逸脱しない範囲において種々変更を加えた形態で構成可能である。」
　
（ス）図４には、「タイル１０６」の上端小口面が「ウォールキャビネット１０２」の下面と非連結の接合状態となり、「タイル１０６」の下端小口面が「カウンター１０４」の上面と非連結の接合状態となり、「タイル１０６」の背面が「壁面１００」上において「ウォールキャビネット１０２」と「カウンター１０４」の背面と面一状態となるように、取り付けられた「ウォールキャビネット、カウンター及び化粧材の施工構造」が記載されている。
　
　ここにおいて、引用文献３に記載された「ウォールキャビネット、カウンター及び化粧材」はキッチン等に設置され、壁面に沿って配置される住宅設備機器を構成するものであり、「べースキャビネット１８の上端にカウンター２０が…配設されている」（上記（サ）【００１０】）ことから、「カウンターがその上端に配設されたベースキャビネット」は住宅設備機器として下部に設置される「下部キャビネット」であるということができ、「ウォールキャビネット」は住宅設備機器の上部に設置される「上部キャビネット」であるということができる。
　
　そうすると、これら記載事項および図面からみて、引用文献３には、次の発明（以下、「引用文献３に記載された発明」という。）が記載されているものと認められる。
　
（引用文献３に記載された発明）
「住宅設備機器の下部キャビネットと、この下部キャビネットの上方に固設される上部キャビネットとを有し、上部キャビネットは下部キャビネットの上方の壁面に下部キャビネットと間隔を有して取り付けられ、上部キャビネットと下部キャビネットとの間に位置する壁面には、タイルが、その上端小口面が上部キャビネットの下面と非連結の接合状態となり、その下端小口面が下部キャビネットの上端のカウンターの上面と非連結の接合状態となり、その背面が壁面上において上部キャビネットと下部キャビネットの背面と面一状態となるように取り付けられた住宅設備機器。」
　　
（３）対比
　そこで、本願補正発明と引用文献１に記載された発明とを比較すると、引用発明の「洗面台」および「高さ調整板」は、本願補正発明の「キャビネット本体」および「パネル部材」に、それぞれ相当する。
　また、引用文献１に記載された発明の「高さ調整板」は「据付位置の…高さに洗面台（１）下端から吊戸棚（７）上端間寸法が等しくなるように高さ調整板（１１）を現場で切断」（上記（エ））されるものであり、「吊戸棚（７）」は「サイドキャビネット（５）」上に「サイドキャビネット（５）」に接して設けられるものである（上記（オ））ことから、「高さ調整板」は任意寸法に切断されることにより「サイドキャビネット（５）」と「洗面台（１）」間の間隔に対応した寸法に形成されるものであり、同様に「サイドキャビネット（５）」と「洗面台（１）」との間には「高さ調整板（１１）」が配置される所望の間隔を有するものである。
　さらに、引用文献１に記載された発明も「洗面化粧台」であることから、キャビネット本体の上面には「洗面ボウル」が設けられていることは明らかである。
　そして、引用文献１に記載された発明の「サイドキャビネット（５）」は本願補正発明の「ミラーキャビネット」と比較して、キャビネット本体の後部上方に、間隔を有して取り付けられる「上部キャビネット」である点で共通している。
　
　そうすると、本願補正発明と引用文献１に記載された発明とは、
「上面に洗面ボウルを設けた箱状のキャビネット本体と、このキャビネット本体の後部上方に垂設される上部キャビネットとを有する洗面化粧台において、
　上部キャビネットは、キャビネット本体の後部上方にこのキャビネット本体と所望の間隔を有して取り付けられ、
　上部キャビネットとキャビネット本体との間には、両者間の間隔に対応した寸法のパネル部材が、その背面が壁面上において上部キャビネットとキャビネット本体の背面と面一状態となるように、取り付けられた洗面化粧台。」
である点で一致し、以下の点で相違している。
　
［相違点１］
　本願補正発明では「上部キャビネット」が「合成樹脂製のミラーキャビネット」であるのに対し、引用文献１に記載された発明では「上部キャビネット」であるところの「サイドキャビネット」の材質が不明であり、鏡（ミラー）を有していない点。
　
［相違点２］
　本願補正発明では「上部キャビネット」であるところの「ミラーキャビネット」が「キャビネット本体」の後部上方の壁面に取り付けられるのに対し、引用文献１に記載された発明では「上部キャビネット」であるところの「サイドキャビネット」は「高さ調整板」に取り付けられている点。
　
［相違点３］
　本願補正発明では「パネル部材」が「ミラーキャビネットとキャビネット本体との間に位置する壁面」に取り付けられるのに対し、引用文献１に記載された発明では「パネル部材」であるところの「高さ調整板」は「洗面台のバックガード」に取り付けられている点。
　
［相違点４］
　本願補正発明では「パネル部材」が「琺瑯パネルやフッ素塗装パネルなどの合成樹脂以外の材質で形成され」ているのに対し、引用文献１に記載された発明では「パネル部材」であるところの「高さ調整板」の材質が不明である点。
　
［相違点５］
　本願補正発明では「パネル部材」と「上部キャビネット」であるところの「ミラーキャビネット」とが、「パネル部材」の「上端小口面がミラーキャビネットの下面と非連結の接合状態」で接合され、「パネル部材」と「キャビネット本体」とが、「パネル部材」の「下端小口面がキャビネット本体の上面と非連結の接合状態」で接合されるのに対し、引用文献１に記載された発明では「パネル部材」であるところの「高さ調整板」と「上部キャビネット」であるところの「サイドキャビネット」および「洗面台」とが「ダボ」により接合されている点。
　
（４）当審の判断
　前記相違点について検討する。
　
［相違点１］について
　洗面化粧台において、上部キャビネットとして、合成樹脂製であり、鏡（ミラー）を有するミラーキャビネットを採用することは、拒絶の理由において例示された、本願出願前に頒布された刊行物である実願平４−５７０３４号（実開平６−１７５８２号）のＣＤ−ＲＯＭ、実願平３−８４６５８号（実開平５−３４９３３号）のＣＤ−ＲＯＭにも示されているように当該技術分野における周知技術であると認められ、当該［相違点１］に係る本願補正発明の構成は、引用文献１に記載された発明の洗面化粧台における、上部キャビネットとして、周知技術であるところの合成樹脂製であり、鏡（ミラー）を有するミラーキャビネットを採用したものであって、当業者が適宜なし得る程度のことである。
　
［相違点２］について
　壁面に沿って配置され、上部キャビネットと下部キャビネットを有する住宅設備機器において、上部キャビネットを下部キャビネットの後部上方の壁面に取り付けることは、例えば引用文献２または引用文献３にも示されているように住宅設備機器の分野における周知技術であると認められる。そして、引用文献１に記載された発明の洗面化粧台も壁面に沿って配置されているので、当該［相違点２］に係る本願補正発明の構成は、引用文献１に記載された発明の洗面化粧台における、上部キャビネットの取り付け個所を、周知技術であるところの下部キャビネットの後部上方の壁面としたものであって、当業者が適宜なし得る程度のことである。
　
［相違点３］について
　壁面に沿って配置され、上部キャビネットと下部キャビネットを有する住宅設備機器において、上部キャビネットと下部キャビネットとの間に設けられる板状部材を、上部キャビネットと下部キャビネットとの間に位置する壁面に取り付けることは、例えば引用文献２または引用文献３にも示されているように住宅設備機器の分野における周知技術であると認められる。そして、引用文献１に記載された発明の洗面化粧台も壁面に沿って配置されているので、当該［相違点３］に係る本願補正発明の構成は、引用文献１に記載された発明の洗面化粧台における、パネル部材の取り付け個所を、周知技術であるところの上部キャビネットと下部キャビネットとの間に位置する壁面としたものであって、当業者が適宜なし得る程度のことである。
　
［相違点４］について
　ここで、引用文献２に記載された発明の「ホーローパネル」についてみると、引用文献２には「ホーローパネル１が壁面Ａに取り付けられ、床上厨房設備２と壁面厨房設備３との間が、ホーローパネル１で覆われる」（上記（ク）【００２０】）と記載されている。また、引用文献２の「取り付けに際して、ホーローパネル１の寸法を変更する必要が生じた場合には、…ホーローパネル１は、…容易に対応することが可能である。」（上記（キ）【００１８】）との記載の、「ホーローパネル１の寸法を変更する必要が生じた場合」とは、つまり「床上厨房設備２と壁面厨房設備３との間」の寸法に変更があった場合であるから、引用文献２に記載された発明の「ホーローパネル」は、本願補正発明の「パネル部材」と同様に「住宅設備機器の上部キャビネットと下部キャビネットの両者間の間隙に対応した寸法」を有するものである。さらに、引用文献２に記載された発明の「ホーローパネル」は、「流し台からの湯水がかかったり…虞れのある壁面を防汚性、耐熱性、耐蝕性などに優れたホーローパネルで覆っている」（上記（ク）【００２１】）と記載されていることから、下部キャビネットに設けられた流し台からの水跳ねがかかる位置に設置されるものである。
　そうすると、引用文献２に記載された発明は、「住宅設備機器の上部キャビネットと、下部キャビネットとの間に位置する壁面に、両者間の間隙に対応した寸法のホーローパネルを取り付けた住宅設備機器」であるといえ、引用文献２に記載された発明の「ホーローパネル」は、本願補正発明の「琺瑯」「で形成されたパネル部材」に相当するものである。
　したがって、当該［相違点４］に係る本願補正発明の構成は、引用文献１に記載された発明の洗面化粧台の「パネル部材」の構成として、水がかかる部位に設置される「パネル部材」である点で共通する引用文献２に記載された発明の「ホーローパネル」を採用したものであり、このような構成を採用することは当業者が容易になし得るものである。
　
［相違点５］について
　ここで、引用文献３に記載された発明の「タイル」についてみると、引用文献３には「本考案は化粧材として石材等タイル以外のものを用いる場合においても適用可能」（上記（シ））と記載されていることから、一般的な建材であり、板状部材である「化粧材」で代用することができるものである。
　そうすると、引用文献３に記載された発明は、「住宅設備機器の上部キャビネットと、下部キャビネットとの間に位置する壁面には、化粧材が、その上端小口面が上部キャビネットの下面と非連結の接合状態となり、その下端小口面が下部キャビネットの上面と非連結の接合状態となり、その背面が壁面上において上部キャビネットと下部キャビネットの背面と面一状態となるように取り付けられた住宅設備機器」であるといえる。
　したがって、当該［相違点５］に係る本願補正発明の構成は、引用文献１に記載された発明の洗面化粧台の「パネル部材」を、（上記「［相違点３］について」において説示したように、）周知技術であるところの上部キャビネットと下部キャビネットとの間に位置する壁面に取り付ける際に、住宅設備機器という共通の技術分野に属する引用文献３に記載された発明の「化粧材」のように、「その上端小口面が上部キャビネットの下面と非連結の接合状態となり、その下端小口面が下部キャビネットの上面と非連結の接合状態となり、その背面が壁面上において上部キャビネットと下部キャビネットの背面と面一状態となるように取り付け」たものであり、このような構成を採用することは当業者が容易になし得るものである。
　
　したがって、［相違点１］ないし［相違点５］に係る本願補正発明の構成は、引用文献１ないし引用文献３に記載された発明および従来周知の技術を組み合わせて、当業者が容易に想到し得るものである。
　そして、請求人が審判請求書において主張する、本願補正発明が奏する効果についてみると、パネル部材を取り替えることにより洗面化粧台の全高を容易に変更できる、洗面スペースの専有面積が侵されることがないとの効果は引用文献１に記載された発明も有するものであり、表面が傷付きにくく清掃が容易である、水跳ね時の不快な音が軽減される、品質感や高級感を有するとの効果は引用文献２に記載された発明のホーローパネルを採用することにより得られるものであり、温度変化による軋み音が発生しないとの効果は引用文献３に記載された発明の化粧材の取り付け構造を採用することにより得られるものであるから、本願補正発明の作用効果は全体として、引用文献１ないし引用文献３に記載された発明および周知技術からみて当業者が予測しうる範囲のものであって、格別なものとみることはできない。
　
　よって、本願補正発明は、引用文献１ないし引用文献３に記載された発明および周知技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項の規定で準用する同法第１２６条第５項の規定に適合しないものであり、特許法第１５９条第１項の規定において読み替えて準用する同法第５３条第１項の規定により却下されるべきものである。
　
　
３．本願発明について
　平成１８年４月７日付けの手続補正は上記のとおり却下されたので、本願の請求項１に係る発明（以下、「本願発明」という。）は、平成１７年９月１４日付けの手続補正は既に却下されているので、平成１７年５月２０日付け手続補正書の特許請求の範囲の請求項１に記載された事項により特定される、以下のとおりのものである。
　
「上面に洗面ボウルを設けた箱状のキャビネット本体と、このキャビネット本体の後部上方に垂設される合成樹脂製のミラーキャビネットとを有する洗面化粧台において、
　上記ミラーキャビネットは、キャビネット本体の後部上方にこのキャビネット本体と所望の間隙を有して取り付けられ、ミラーキャビネットとキャビネット本体との間には、両者間の間隙に対応した寸法に、琺瑯パネルやフッ素塗装パネルなどの合成樹脂以外の材質で形成されたパネル部材が取り付けられたことを特徴とする洗面化粧台。」　
　
（１）刊行物に記載された発明
　原査定の拒絶の理由に引用された引用文献１、引用文献２およびそれらの記載事項は、上記「２．（２）」に記載したとおりである。　
　
（２）対比・判断
　本願発明は、上記「２．」で検討した本願補正発明の、「ミラーキャビネット」の取り付け個所を「壁面」とする構成、「パネル部材」の取り付け個所を「壁面」とする構成、「パネル部材」と「ミラーキャビネット」および「キャビネット本体」との取り付け構造を、「パネル部材」の「上端小口面がミラーキャビネットの下面と非連結の接合状態となり、その下端小口面がキャビネット本体の上面と非連結の接合状態となり、かつ、その背面が前記壁面上においてミラーキャビネットとキャビネット本体の背面と面一状態となるように、取り付け」たとする構成を省いたものである。
　そうすると、本願発明の構成要件をすべて含み、さらに他の構成要件を付加したものに相当する本願補正発明が、前記「２．（４）」に記載したとおり、引用文献１ないし引用文献３に記載された発明および周知技術に基づいて、当業者が容易に発明をすることができたものであるから、本願発明も同様の理由により、引用文献１、引用文献２に記載された発明および周知技術に基づいて、当業者が容易に発明をすることができたものである。　
　
（３）むすび
　以上のとおり、本願発明は、引用文献１、引用文献２に記載された発明および周知技術に基づいて、当業者が容易に発明をすることができたものであるから、特許法第２９条第２項の規定により特許を受けることができない。
　
　よって、結論のとおり審決する。